(57)【特許請求の範囲】
【請求項１】
建物の基礎を構成するプレキャストコンクリート製の基礎ブロックを連結するための基礎ブロックの連結構造であって、
端部に接合部を備えた第一基礎ブロックと、
端部に前記第一基礎ブロックの前記接合部に結合される継手部を備えた他の基礎ブロックを備え、
前記継ぎ手部は、前記接合部側に開口する平面コ字状の窪み部を有し、
前記第一基礎ブロックの接合部は、第一接合面、この第一接合面に略直交し、かつ、互いに平行な第二接合面および第三接合面を備え、
これらの接合面には、前記他の基礎ブロックの前記窪み部に挿入される連結筋を取り付けるための取付部が設けられ、
これらの取付部のうち、前記他の基礎ブロックが結合される接合面の取付部には、前記連結筋が取り付けられ、
前記他の基礎ブロックの窪み部、および、前記他の基礎ブロックが結合される前記接合面に囲まれた連結用空間には、コンクリートが充填されていることを特徴とする基礎ブロックの連結構造。
【請求項２】
請求項１に記載した基礎ブロックの連結構造において、
前記取付部はナットであり、これらナットのうち、前記他の基礎ブロックが結合される接合面のナットには、前記連結筋が螺入されていることを特徴とする基礎ブロックの連結構造。
【請求項３】
請求項１または請求項２に記載の基礎ブロックの連結構造において、
前記第一基礎ブロック、および、前記他の基礎ブロックとしての第二の基礎ブロックは、互いの端部が向かい合うように直列に配置され、
この第二基礎ブロックの継手部は、前記第一基礎ブロックの前記第一接合面に結合され、
他の基礎ブロックである第三基礎ブロックは、その端部を第一、第二基礎ブロック側に向けてこれらの第一、第二基礎ブロックと直角に配置され、
この第三基礎ブロックの継手部は、前記第一基礎ブロックの前記第二接合面に結合されていることを特徴とする基礎ブロックの連結構造。
【請求項４】
請求項３に記載の基礎ブロックの連結構造において、
前記他の基礎ブロックとしての第四の基礎ブロックは、前記第一基礎ブロックの接合部を挟んで前記第三基礎ブロックの反対側に、前記第一、第二基礎ブロックと直角に配置され、
この第三基礎ブロックの継手部は、前記第一基礎ブロックの前記第三接合面に結合されていることを特徴とする基礎ブロックの連結構造。
【発明の詳細な説明】
【０００１】
【発明の属する技術分野】
本発明は、建物の基礎を構成するプレキャストコンクリート（以下、ＰＣという）製の基礎ブロックを連結するための基礎ブロックの連結構造に関する。
【０００２】
【背景技術】
従来、建物の基礎は現場打ちコンクリートで造られていたが、施工が煩雑なうえに工期が長くなるため、近年では、予め工場等で成形したＰＣ製の基礎ブロックを地盤上に配列して互いに連結することにより造られている。
例えば、図５に示すように、三つのＰＣ製ブロック８１，８２，８３をＴ字状に連結する場合、第一、第二ブロック８１，８２を互いの端部８１Ａ，８２Ａが向かい合うように直列に配置し、これらの端部８１Ａ，８２Ａに第三ブロック８３の端部８３Ａを直角に突きあてて連結していた。
【０００３】
これらのブロック８１，８２，８３の各端部８１Ａ，８２Ａ，８３Ａには、外端方向に開口する平面コ字状の窪み部８４が設けられている。これらの窪み部８４は、各ブロック８１，８２，８３の本体部８５から直線的に延びる第一延出部８６と、この第一延出部８６と平行な第二延出部８７とにより構成され、第一延出部８６には、本体部８５から直線的に延びる配筋８８が埋設されている。第三ブロック８３は、第一、第二ブロック８１，８２の第二延出部８７側に配置されている。
このような基礎ブロック８１〜８３を連結する際には、建設現場において、第一ブロック８１の第二延出部８７の先端部８７Ａを欠損させ、これにより、互いの窪み部８４を連通させてＴ字状の連結用空間８９を形成し、この連結用空間８９にＴ字状に接合筋９１を配置してコンクリート９２を充填していた。
【０００４】
【発明が解決しようとする課題】
この方法では、連結用空間８９を形成するために、建設現場において、第一ブロック８１の第二延出部８７の先端部８７Ａを欠損させなければならないので煩雑であった。さらに、連結用空間８９には接合筋９１を配置しなければならないため手間がかかっていた。
また、この構造では、第一延出部８６に配筋８８が埋設されているので、構造上欠損させることができない。このため、第一、第二ブロック８１，８２の第一延出部８６側にはブロックを結合できないので、基礎ブロックの配置に制約があった。
【０００５】
本発明の目的は、基礎ブロックを簡単に連結できるとともに基礎ブロックの配置の自由度を高められる基礎ブロックの連結構造を提供することにある。
【０００６】
【課題を解決するための手段】
本発明は、図面を参照して説明すると、建物の基礎を構成するプレキャストコンクリート製の基礎ブロックを連結するための基礎ブロックの連結構造であって、端部に接合部を備えた第一基礎ブロックと、端部に前記第一基礎ブロックの前記接合部に結合される継手部を備えた他の基礎ブロックを備え、前記継ぎ手部は、前記接合部側に開口する平面コ字状の窪み部を有し、前記第一基礎ブロックの接合部は、第一接合面、この第一接合面に略直交し、かつ、互いに平行な第二接合面および第三接合面を備え、これらの接合面には、前記他の基礎ブロックの前記窪み部に挿入される連結筋を取り付けるための取付部が設けられ、これらの取付部のうち、前記他の基礎ブロックが結合される接合面の取付部には、前記連結筋が取り付けられ、前記他の基礎ブロックの窪み部、および、前記他の基礎ブロックが結合される前記接合面に囲まれた連結用空間には、コンクリートが充填されていることを特徴とする。
【０００７】
本発明においては、第一基礎ブロックの接合部の接合面に他の基礎ブロックの継手部を当接させると、自ずと接合面および継手部の窪み部に囲まれた連結用空間ができるので、この空間にコンクリートを充填するだけで、第一基礎ブロックの接合部と他の基礎ブロックの各継手部とを個別に連結できる。従って、窪み部を互いに連通させる必要がなくなるので、ブロックを欠損させる手間を省略できるから、建設現場における連結作業を容易化できる。
また、他の基礎ブロックに結合される接合面には窪み部に挿入される連結筋が取り付けられているため、連結用空間に連結筋が埋設されることになり、連結用空間に従来の接合筋を配置しなくてもよくなるから連結作業を簡略化できる。
本発明の接合用基礎ブロックは、第一接合面、この第一接合面に略直交し、かつ、互いに平行な第二接合面および第三接合面を有するため、これらの接合面に対して選択的に他の基礎ブロックを結合できる。
また、接合面には連結筋を取り付けるための取付部が設けられているので、連結筋を他の基礎ブロックを結合する接合面だけを選択して装着できるから、他の基礎ブロックを結合する接合面を選択することができる。従って、基礎ブロックの配置の各種バリエーションに対応できるから、基礎ブロックの配置の自由度を高めることができる。例えば、これらの接合面のうち、互いに直交する二つの接合面にそれぞれ他の基礎ブロックの端部を結合すれば、三つの基礎ブロックをＴ字状に連結できる。或いは、三つの接合面にそれぞれ他の基礎ブロックの端部を結合すれば、四つの基礎ブロックを十字状に連結できる。
さらに、連結筋は別体にできるため、接合用基礎ブロックの保管時や運搬時の省スペース化を図ることができる。
【００１３】
前述した取付部はナット２７Ａ，２７Ｂ，２７Ｃ，２７Ｄであり、これらナットのうち、前記他の基礎ブロックが結合される接合面のナットには、前記連結筋が螺入されていることが望ましい。
このようにすると、連結筋を接合面に対して容易に着脱できる。
【００１４】
【発明の実施の形態】
以下、本発明の一実施形態を図面に基づいて説明する。
図１には、建物の基礎を構成する本実施形態の基礎ブロック１，２，３の連結構造が示されている。この基礎は、例えば、構造体としての壁パネル、床パネル、天井パネルおよび屋根パネル（図示省略）等を組み立てて構築するパネル工法により建てられた工業化住宅の布基礎であり、この場合、基礎ブロック１，２，３は、壁パネルからなる壁体に沿って配列される。
基礎において、ＰＣ製の基礎ブロック１，２，３は、フーチング部（図示省略）から上方に立ち上がる立上部を構成するものである。なお、フーチング部は、現場打ちコンクリートにより形成したものでもよく、或いは、地盤上にＰＣ製のフーチング部材を配置して構成したものであってもよい。
【００１５】
このような基礎ブロック１，２，３はＴ字状に配置されている。すなわち、接合用基礎ブロックである第一基礎ブロック１と、他の基礎ブロックとしての第二基礎ブロック２は、互いの端部１Ａ，２Ａが向かい合うように直列に配置され、他の基礎ブロックである第三基礎ブロック３は、その端部３Ａを第一、第二基礎ブロック１，２側に向けてこれらの第一、第二基礎ブロック１，２と直角に配置されている。
第一基礎ブロック１は、図２にも示すように、その端部１Ａに本体部１Ｂよりも幅寸法（長手方向と直交する方向の寸法）の大きい接合部１１を備えている。
【００１６】
第二、第三基礎ブロック２，３は、それぞれ端部２Ａ，３Ａに第一基礎ブロック１の接合部１１に結合される継手部１２，１３を備えている。これらの継手部１２，１３の幅寸法は、その各本体部２Ｂ，３Ｂよりも大きく形成されている。継手部１２，１３は、それぞれ接合部１１側に開口する平面コ字状の窪み部１４，１５を備えている。これらの窪み部１４，１５により、第二、第三基礎ブロック２，３の端部２Ａ，３Ａには、それぞれ本体部２Ｂ，３Ｂから直線的に延びる第一延出部１６と、この第一延出部１６と平行な第二延出部１７とが形成されている。
【００１７】
第一基礎ブロック１の接合部１１は、第二、第三基礎ブロック２，３の各継手部１２，１３を受けるための互いに直交する三つの接合面２１，２２，２３を備えている。これらの接合面２１，２２，２３は、第二基礎ブロック２の継手部１２を受ける第一接合面２１と、この第一接合面２１と直交する一対の第二接合面２２および第三接合面２３とを含んで構成されている。
このうち、第一、第二接合面２１，２２には、それぞれ第二、第三基礎ブロック２，３の各窪み部１４，１５に挿入される連結筋２５Ａ，２５Ｂ，２６Ａ，２６Ｂが突設されている。これらの連結筋２５Ａ，２５Ｂ，２６Ａ，２６Ｂは先端部がＪ字状に湾曲している。第一接合面２１においては、二本の連結筋２５Ａ，２５Ｂが上下方向に並設され、第二接合面２２においても同様に、二本の連結筋２６Ａ，２６Ｂが上下方向に並設されている。
【００１８】
第一接合面２１の連結筋２５Ａ，２５Ｂは、図３に示すように、それぞれ第一接合面２１に設けられた取付部としてのナット２７Ａ，２７Ｂに螺入されている。同様に、図示しないが、第二、第三接合面２２，２３にも取付部としてのナットが各四つ設けられ、第二接合面２２の連結筋２６Ａ，２６Ｂはそれぞれ第二接合面２２のナットに螺入されている。また、第三接合面２３には基礎ブロックが結合されないため、第三接合面２３のナットには連結筋が取り付けられていない。
【００１９】
図１に戻って、このような第一基礎ブロック１の第一接合面２１には第二基礎ブロック２の第一、第二延出部１６，１７が当接され、第二接合面２２には第三基礎ブロック３の第一、第二延出部１６，１７が当接されている。第二基礎ブロック２の窪み部１４と第一接合面２１とに囲まれた連結用空間３１にはコンクリート３３が充填され、これにより、第一、第二基礎ブロック１，２が相互に連結されている。また、第三基礎ブロック３の窪み部１５と第二接合面２２とに囲まれた連結用空間３２にはコンクリート３３が充填され、これにより、第一、第三基礎ブロック１，３が相互に連結されている。
【００２０】
このような本実施形態によれば、以下のような効果がある。
すなわち、第二、第三基礎ブロック２，３は、窪み部１４，１５を有する継手部１２，１３を備え、第一基礎ブロック１はこの継手部１２，１３を受ける第一、第二接合面２１，２２を有するため、接合部１１の第一、第二接合面２１，２２にそれぞれ第二、第三基礎ブロック２，３の各継手部１２，１３を当接させると、自ずと第一接合面２１および窪み部１４に囲まれた連結用空間３１と、第二接合面２２および窪み部１５に囲まれた連結用空間３２とができる。従って、これらの連結用空間３１，３２にコンクリート３３を充填するだけで、第一基礎ブロック１の接合部１１と第二、第三基礎ブロックの各継手部１２，１３とを個別に連結できるので、窪み部１４，１５を互いに連通させる必要がなくなり、従来のようにブロックを欠損させる手間を省略できるから、建設現場における連結作業を容易化できる。
【００２１】
また、第一、第二接合面２１，２２には、それぞれ窪み部１４，１５に挿入される連結筋２５Ａ，２５Ｂ，２６Ａ，２６Ｂが突設されているため、ブロック１，２，３同士の結合部分である連結用空間３１，３２にそれぞれ連結筋２５Ａ，２５Ｂ，２６Ａ，２６Ｂが埋設されるから、従来の接合筋（図５参照）を配置しなくてもよくなるので、連結作業を簡略化できる。
【００２２】
そして、第一基礎ブロック１は、互いに直交する第一、第二、第三接合面２１，２２，２３を有するので、これらの接合面２１，２２，２３に対して選択的に他の第二、第三基礎ブロック２，３を結合できる。従って、ブロック１，２，３をＴ字状に配置する場合だけでなく、基礎ブロック１，２，３の配置における各種バリエーションに対応できるから、基礎ブロック１，２，３の配置の自由度を高めることができる。
【００２３】
例えば、第二、第三接合面２２，２３に第三基礎ブロック３を結合しないで、第一基礎ブロック１の第一接合面２１のみに第二基礎ブロック２を結合すれば、二つの基礎ブロック１，２を直列に連結できる。この場合、第二、第三接合面２２，２３の連結筋は省略する。
或いは、第二基礎ブロック２を省略して、第二、第三接合面２２，２３のいずれか一方のみに第三基礎ブロック３を結合すれば、二つの第一、第三基礎ブロック１，３を直角に連結できる。この場合、第二、第三接合面２２，２３のいずれか一方のみに連結筋を取り付ける。
また、第三基礎ブロック３を第二接合面２２の代わりに第三接合面２３に結合すれば、三つの基礎ブロック１，２，３をＴ字状に連結できる。この場合、第二接合面２２の連結筋２６Ａ，２６Ｂは省略して、第三接合面２３の各ナット（図示省略）に連結筋を螺入する。
【００２４】
或いは、図４に示すように、接合部１１を挟んで第三基礎ブロック３の反対側に、第三基礎ブロック４を第一、第二基礎ブロック１，２と直角に配置し、この第三基礎ブロック４の継手部１３を第三接合面２３に結合すれば、四つの第一、第二、第三基礎ブロック１，２，３，４を簡単に十字状に連結できる。この場合、第三接合面２３の各ナット（図示省略）にそれぞれ連結筋２８Ａ（最上部の連結筋２８Ａのみ図示）を螺入し、第三接合面２３と窪み部１５に囲まれた連結用空間３４にコンクリート３３を注入して第一、第三基礎ブロック１，４を互いに結合する。
【００２５】
そして、第一基礎ブロック１の各接合面２１，２２，２３には、連結筋２５Ａ，２５Ｂ，２６Ａ，２６Ｂを取り付けるためのナット２７Ａ，２７Ｂがそれぞれ設けられているので、連結筋２５Ａ，２５Ｂ，２６Ａ，２６Ｂを、第二、第三基礎ブロック２，３を結合する第一、第二接合面２１，２２だけに選択的に装着できるから、第一基礎ブロック１と第二、第三基礎ブロック２，３とを確実に強固に結合できる。
さらに、連結筋２５Ａ，２５Ｂ，２６Ａ，２６Ｂは接合面２１，２２，２３から脱着自在であり、別体にできるから、第一基礎ブロック１の保管時や運搬時の省スペース化を図ることができる。
【００２６】
そして、連結筋２５Ａ，２５Ｂ，２６Ａ，２６Ｂは、第一、第二接合面２１，２２に設けられたナット２７Ａ，２７Ｂに螺入されているので、連結筋２５Ａ，２５Ｂ，２６Ａ，２６Ｂを第一、第二接合面２１，２２に対して容易に着脱できる。
【００２７】
なお、本発明は前記実施形態に限定されるものではなく、本発明の目的を達成できる他の構成等を含み、以下に示すような変形なども本発明に含まれる。
すなわち、前記実施形態の接合部１１は、互いに直交する三つの接合面２１，２２，２３を備えていたが、第三接合面２３を省略して第一、第二接合面２１，２２のみとしてもよく、或いは、第二接合面２２を省略して第一、第三接合面２１，２３のみとしてもよい。
【００２８】
【発明の効果】
以上に述べたように、本発明によれば、第二、第三基礎ブロックは、窪み部を有する継手部を端部に備え、第一基礎ブロックはこれらの継手部を受ける接合面を有するため、接合面および窪み部に囲まれた連結用空間にコンクリートを充填するだけで、第一基礎ブロックの接合部と第二、第三基礎ブロックの各継手部とを個別に連結できる。従って、互いの窪み部を連通させる必要がなくなるので、ブロックを欠損させる手間を省略できるから、建設現場における連結作業を容易化できる。
さらに、接合面を第三基礎ブロックの数や配置に応じて形成すれば、第三基礎用ブロックの数や配置が制限されることがなくなるので、その自由度を高めることができる。
また、接合面には窪み部に挿入される連結筋が突設されているため、連結用空間に連結筋が埋設されることになり、連結用空間に従来の接合筋を配置しなくてもよくなるから連結作業を簡略化できる。
【００２９】
一方、本発明によれば、接合用基礎ブロックは互いに直交する接合面を有するので、これらの接合面に対して選択的に他の基礎ブロックを結合できるから、基礎ブロックの配置の各種バリエーションに対応できる。
また、接合面には連結筋を取り付けるための取付部が設けられているので、連結筋を他の基礎ブロックを結合する接合面だけに選択的に装着できるから、接合用基礎ブロックと他の基礎ブロックとを確実に強固に結合できる。
さらに、接合用基礎ブロックと他の基礎ブロックとの結合部分には連結筋が設置されるようになるため、従来の接合筋を配置する手間を省略できるから、建設現場における基礎ブロックの連結作業を容易化できる。
【図面の簡単な説明】
【図１】本発明の一実施形態を示す平面図。
【図２】前記実施形態の基礎ブロックの連結構造を示す分解斜視図。
【図３】前記実施形態の接合部を示す断面図。
【図４】本発明の他の実施形態を示す平面図。
【図５】従来の基礎ブロックの連結構造を示す平面図。
【符号の説明】
１  第一基礎ブロック（接合用基礎ブロック）
２  第二基礎ブロック
３  第三基礎ブロック
１１  接合部
１２，１３  継手部
１４，１５  窪み部
２１  第一接合面（接合面）
２２  第二接合面（接合面）
２３  第三接合面（接合面）
２５Ａ，２５Ｂ，２６Ａ，２６Ｂ，２８Ａ  連結筋
２７Ａ，２７Ｂ  ナット（取付部）
３１，３２  連結用空間
３３  コンクリート
【図１】
0003784486.tif 000002
【図２】
0003784486.tif 000003
【図３】
0003784486.tif 000004
【図４】
0003784486.tif 000005
【図５】
0003784486.tif 000006